(57)【要約】【課題】  ＲＦモジュレータの出力が供給されるチャンネルの水平ＡＦＣのゲインの切換設定を簡単にできるようにする。【解決手段】  チャンネルサーチを実行して、ＲＦモジュレータの出力が供給される可能性のあるチャンネルが空きチャンネルであるか否かを判定し、空きチャンネルと判定されたチャンネルを、ＲＦモジュレータの出力が供給されるチャンネルであると特定して、そのチャンネルを受信した際に、水平ＡＦＣのゲインを高くするように、水平ＡＦＣを制御するデータをメモリ１１４に記憶するように構成した。  【選択図】図３
2006186720.tif 000002
【特許請求の範囲】
【請求項１】
複数のチャンネルで構成される放送信号が入力されると共に、ＲＦモジュレータを備えた外部機器からの所定のチャンネル周波数を有するＲＦ出力信号を受けることが可能なＲＦ信号入力手段と、
前記ＲＦ信号入力手段に入力された複数のチャンネル周波数信号を選択的に受信するチューナ部と、
前記チューナ部で受信したチャンネル周波数信号を処理して提示のために出力する信号処理手段と、
前記信号処理手段で処理される信号に含まれる水平同期信号を分離抽出して、当該水平同期信号に基づいて、水平走査信号を生成するための発振器を制御する水平ＡＦＣ回路を含む同期処理手段と、
前記チューナ部に対して受信チャンネルを連続的に順次切換えて、チャンネル毎に放送信号が存在するか否か判別するチャンネルサーチ手段と、
このチャンネルサーチ手段によって、前記チャンネルのうち、前記ＲＦモジュレータを備えた外部機器からＲＦ信号が供給される可能性のあるチャンネルに放送信号が存在しないと判定された際に、当該チャンネルの切換えに連動して前記水平ＡＦＣ回路のゲインを他のチャンネルが選択された際に比べて高くなるように設定する水平ＡＦＣ回路制御手段と、
を具備したことを特徴とするテレビジョン受信装置。
【請求項２】
前記水平ＡＦＣ回路制御手段は、前記チューナ部のチャンネル選局データと対でメモリに記憶された水平ＡＦＣ回路制御データに基づき、前記チャンネルがＲＦモジュレータからの出力が供給される可能性のあるチャンネルに切換えられた際に、前記水平ＡＦＣ回路のゲインが高くなるように切換えると共に、他のチャンネルに切換えられた際に、当該ゲインが低くなるように切換えるものであることを特徴とする請求項１に記載のテレビジョン受信装置。
【請求項３】
前記チャンネルサーチ手段は、前記ＲＦモジュレータを備えた外部機器からＲＦ信号が供給される可能性のあるチャンネルのみをサーチして放送信号が存在するか否か判別するものであることを特徴とする請求項１または２に記載のテレビジョン受信装置。
【請求項４】
受信可能な複数のチャンネルのうち、ＲＦモジュレータを備えた外部機器からＲＦ信号が供給される可能性のあるチャンネルに放送信号が存在するかしないかを判定するステップと、
放送信号が存在しないと判定された際に、当該チャンネルの切換えに連動して水平ＡＦＣ回路のゲインを他のチャンネルが選択された際に比べて高くなるように設定するステップと、
を具備したことを特徴とするテレビジョン受信装置の受信チャンネル設定方法。
【発明の詳細な説明】
【技術分野】
【０００１】
この発明は、テレビジョン受像機の水平走査系の制御回路に関し、特に、放送信号以外に、ＲＦ（Radio frequency）モジュレータを備えた外部機器からのＲＦ出力信号を視聴することが可能なテレビジョン受像機の、水平ＡＦＣ回路を信号供給源に応じて適切に動作させることができるようにしたテレビジョン受像機及びテレビジョン受信装置の受信チャンネル設定方法に関する。
【背景技術】
【０００２】
テレビジョン放送は、それぞれ周波数が割り当てられた複数の放送チャンネルによって行われている。例えばＶＨＦ（Very High Frequency）では、１から１２のチャンネルが存在し、それらチャンネルが放送事業者に振り分けられているが、混信を避けるため同一サービスエリアでは、周波数が離れている３チャンネルと４チャンネル除いて、同時に隣接するチャンネルで放送が行われないように配慮されている。
【０００３】
例えば、１チャンネルでの放送が行われている地域では、２チャンネルの放送は行われることはない。
【０００４】
一方、放送以外にも、テレビジョン信号を提供する信号源としてＶＴＲ（Video Tape Recorder）が古くから広く適用されており、このＶＴＲでは、ベースバンドのビデオ信号及び音声信号を出力することも可能であるが、再生した信号を所定チャンネルのＶＨＦ放送信号に変換して出力するいわゆるＲＦモジュレータを有し、テレビジョン受像機のアンテナ入力端子からテレビジョン信号を供給する機能も備えられている。その場合、ＲＦモジュレータは、その出力の周波数を１チャンネルとするか２チャンネルとするか切換えられるように構成されている。
【０００５】
すなわち、放送信号としては１チャンネルと２チャンネルが同時に存在することはないため、いずれかのチャンネルの周波数で出力されるように構成されているものである。
【０００６】
ＶＴＲは、記録媒体が磁気テープであり、その長手方向に対して斜めに１トラック１フィールドの映像信号が記録されるが、磁気テープに付与されるテンションのバラツキ、走行負荷のバラツキ等によって、磁気テープが部分的に伸びたりする等の機械的なストレスを受け易く、それによって再生水平同期信号の位相がずれてしまうことがある。すなわち、ＶＴＲの場合、ヘッド切換えタイミングで、水平同期位相が大きく変移することが多々あり、テレビジョン受像機では、画面上、縦方向の軸が横に流れる、いわゆるスキューが発生することが知られている。
【０００７】
通常テレビジョン受像機は、水平走査周波数で発振する発振器を備え、この発振器の位相（周波数）を、表示している映像信号に含まれる水平同期信号で制御するように構成した、いわゆる水平ＡＦＣ（Automatic Frequency Control）回路が設けられている。
【０００８】
このＡＦＣ回路の機能によって、ＶＴＲの再生信号のように水平同期信号の位相がフィールド周期で変動するようなものでも、それを吸収してテレビジョン受像機の画面上では、スキューによる画像乱れが発生しないようにすることが可能である。
【０００９】
また、この他に、画面乱れを発生する要因として、受信した信号のＣ／Ｎ（Carrier/Noise）の悪化が知られている。すなわち、弱電界の環境のように信号にノイズが多く含まれると、同期信号にジッタが発生し、それによって走査系が誤動作して、表示画面の同期が乱れるという現象が生ずることがある。
【００１０】
このような現象に対しても、ＡＦＣ回路は有効に働き、水平発振器をフライホイール発振器として動作させることによって、ジッタによって同期が乱されるのを抑制することが可能である。
【００１１】
しかしながら、ＶＴＲのスキュー歪を吸収する機能と、ジッタの影響を除外する機能とを両方同時に満足するように働かせることは困難である。すなわち、スキュー歪に対処するためには、ＡＦＣ回路のゲインを上げて、細かな変動に素早く対処させる必要があるが、ジッタによる影響を除外するには、ＡＦＣ回路のゲインを下げて、ジッタに応答してしまわないように設定する必要がある。
【００１２】
従来、このように、ＶＴＲの再生信号のスキュー歪をより良好に吸収するように設定することと、ジッタによる影響をより良好に除外するように設定することとは、必ずしも両立しない事項であり、通常は、折衷案的な設定を行って、両方の要因に対して対応が中途半端なものにならざるを得なかった。
【００１３】
あるいはまた、特許文献１に開示されているように、ＶＴＲの再生信号がＶＨＦ信号に変換されて出力される可能性のある１チャンネルあるいは２チャンネルのＡＦＣ回路の応答速度を速くし、他のチャンネルの応答速度を遅くして、ＶＴＲのスキュー歪と、弱電界等のジッタの悪影響にそれぞれ充分に対応できるようにした提案もなされているが、ＶＴＲのＲＦ出力がいずれのチャンネルであるかを、ユーザが見極めて、個々に設定する必要があり操作性が必ずしも良好であるとは言い難かった。
【特許文献１】特開平８−２９８６３３号公報
【発明の開示】
【発明が解決しようとする課題】
【００１４】
以上のように、従来、所定のチャンネル周波数を有するＲＦモジュレータの出力を受信する際に、水平ＡＦＣ回路のゲインを高めるようにしてスキュー歪が画面に映出されないようにした提案はなされているが、その設定を行うのに複雑な操作をする必要があり、操作性の点で改善の余地があった。
【００１５】
この発明は、チャンネルサーチ機能を利用して、少なくともＲＦモジュレータから出力される信号が入力される可能性のあるチャンネルについて、放送信号が存在するか否かの判定を行い、放送信号が存在しないと判定されたチャンネルについて、当該チャンネルが選局された際に、水平ＡＦＣ回路のゲインを高めるように制御するためのデータを記憶させるようにしたことにより、簡単な操作で、自動的に水平ＡＦＣ回路の制御データを、選局データと対でメモリに保存するという設定を実行させることが可能な、テレビジョン受信装置及びチャンネル設定方法を提供することを目的とする。
【課題を解決するための手段】
【００１６】
この発明に係るテレビジョン受信装置は、複数のチャンネルで構成される放送信号が入力されると共に、ＲＦモジュレータを備えた外部機器からの所定のチャンネル周波数を有するＲＦ出力信号を受けることが可能なＲＦ信号入力手段と、前記ＲＦ信号入力手段に入力された複数のチャンネル周波数信号を選択的に受信するチューナ部と、前記チューナ部で受信したチャンネル周波数信号を処理して提示のために出力する信号処理手段と、前記信号処理手段で処理される信号に含まれる水平同期信号を分離抽出して、当該水平同期信号に基づいて、水平走査信号を生成するための発振器を制御する水平ＡＦＣ回路を含む同期処理手段と、前記チューナ部に対して受信チャンネルを連続的に順次切換えて、チャンネル毎に放送信号が存在するか否か判別するチャンネルサーチ手段と、このチャンネルサーチ手段によって、前記チャンネルのうち、前記ＲＦモジュレータを備えた外部機器からＲＦ信号が供給される可能性のあるチャンネルに放送信号が存在しないと判定された際に、当該チャンネルの切換えに連動して前記水平ＡＦＣ回路のゲインを他のチャンネルが選択された際に比べて高くなるように設定する水平ＡＦＣ回路制御手段と、を具備したことを特徴とする。
【００１７】
また、この発明に係わるテレビジョン受信装置の受信チャンネル設定方法は、受信可能な複数のチャンネルのうち、ＲＦモジュレータを備えた外部機器からＲＦ信号が供給される可能性のあるチャンネルに放送信号が存在するかしないかを判定するステップと、放送信号が存在しないと判定された際に、当該チャンネルの切換えに連動して水平ＡＦＣ回路のゲインを他のチャンネルが選択された際に比べて高くなるように設定するステップと、を具備したことを特徴とする。
【発明の効果】
【００１８】
本発明によれば、チャンネルサーチを実行させるだけで、ＲＦモジュレータの出力が供給される可能性の有るチャンネルを選局した際に自動的に水平ＡＦＣ回路のゲインを切換えるデータを適切に記憶させることができるため、操作性を向上させることができるものである。
【発明を実施するための最良の形態】
【００１９】
以下、この発明の実施の形態について図面を参照して詳細に説明する。図１は、本発明のテレビジョン受信装置の構成の概略を説明するために示す回路ブロック図である。
【００２０】
図１において、テレビジョン受信装置１００は、ＲＦ信号入力部１０１を備え、このＲＦ信号入力部１０１により、アンテナ入力端子１０２を介してアンテナ１０３からの放送信号を受けると共に、外部入力端子１０４を介してＶＴＲ等のＲＦモジュレータからのＲＦ信号を受ける。
【００２１】
ＲＦ入力部１０１は、アンテナ入力端子１０２に供給される信号、あるいは外部入力端子１０４に供給される信号を適宜切換えて、チューナ部１０５に送る。
【００２２】
チューナ部１０５は、選局部１０６から供給される選局信号によって、チャンネルのいずれかを受信するように設定され、受信したチャンネルのテレビジョン信号を映像／音声信号処理部１０７に出力する。
【００２３】
映像／音声信号処理部１０７では、テレビジョン信号をベースバンドの映像及び音声信号に変換すると共に、各種処理を施して、映像信号については映像表示部１０８で表示させ、音声信号は、スピーカ等で構成される音声出力部１０９から音声として出力される。
【００２４】
さらに、同期処理部１１０を備え、例えばベースバンドの映像信号から同期信号を分離して、水平ＡＦＣを含む走査系の処理を実行して、水平同期信号及び垂直同期信号を出力する。同期処理部１１０には、水平ＡＦＣ利得切換え部１１１が接続され、水平ＡＦＣの利得を切換えるように動作するが詳細は後述する。
【００２５】
同期処理部１１０から出力される同期信号は、表示駆動部１１２に供給され、表示駆動部１１２によって、映像表示部１０７が駆動されることで映像の表示が行われる。
【００２６】
さらに、テレビジョン受信装置全体の動作、機能設定を制御するためにＣＰＵ（Central Processing Unit）で構成される制御部１１３が設けられている。
【００２７】
制御部１１３には、メモリ１１４が接続され、制御部１１３はメモリ１１４に保存された各種プログラムに基づき、テレビジョン受信装置１００を制御する。メモリ１１４は、プログラムが保存されたＲＯＭ（Read Only Memory）部と、ワークエリアとして利用されるＲＡＭ（Random Access Memory）部と、各種データを書込み保存可能な不揮発性メモリ部を備えている。
【００２８】
さらに制御部１１３には、ユーザがテレビジョン受信装置１００の動作切換えあるいは機能の設定を行うための操作部１１５が接続されている。操作部１１５は、例えばテレビジョン受信装置１００の筐体前面に配置された複数の操作スイッチで構成されているが、あるいはリモートコントローラを含めることも可能である。
【００２９】
ユーザは操作部１１５を操作することによって、チャンネルの切換を実行したり、あるいは表示される映像の画質を変えたり音量を調整したりすることが可能である。
【００３０】
制御部１１５は、受信チャンネルの切換を行う場合、選択されたチャンネルの選局データをメモリ１１４から読み出して、選局部１０６に導出し、選局部１０６がその選局データに基づいてチューナ部１０５の受信チャンネルを切換える。
【００３１】
また、制御部１１５は、映像／音声信号処理部１０７に制御信号を送って、音声信号の利得を調整したり、映像信号を調整したりする。
【００３２】
さらに、テレビジョン受信装置１００は、チャンネルを順次連続的に切換えるいわゆるチャンネルサーチ機能を備えている。この機能はユーザが操作部１１５を操作することで、制御部１１３は、現在視聴中のチャンネルからあるいは、チャンネル１から順次一定時間間隔でチャンネルを切換える。
【００３３】
それによって、受信されたチャンネルの映像信号が、順次所定間隔で映像表示部１０８に表示され、ユーザは視聴したい映像が表示されているタイミングで、チャンネルサーチを停止させて、その番組の視聴を継続する。
【００３４】
受信したチャンネルに、テレビジョン信号が存在しない場合には、一定時間の経過を待たずに、次のチャンネルへの切換が実行される。
【００３５】
受信したチャンネルに、テレビジョン信号が存在するか否かの判定は、同期処理部１１０で同期信号が分離されたか否かを制御部１１３が判定することで行う。あるいはその同期信号に基づく判定に加えて、チューナ部１０５でＡＦＴ（Automatic Fine Tuning）信号が検出されるか否かを条件として加えることで判定制度を上げることができる。
【００３６】
さて、本発明のテレビジョン受信装置１００においては、チャンネルサーチ時に、ＲＦモジュレータからの出力が供給される可能性のある１あるいは２チャンネルにＲＦテレビジョン信号が存在するか否かを判定して、例えば２チャンネルにＲＦテレビジョン信号が存在しないと判定した場合に、そのチャンネルを、ＶＴＲ等のＲＦモジュレータを備えた機器からＲＦ信号が供給されるチャンネルと特定して、そのチャンネルが選局された際に水平ＡＦＣゲインが高くなるように切換える制御データを、チャンネルの選局データと対でメモリ１１４に書き込むようにする。
【００３７】
また、ＶＴＲ等のＲＦモジュレータを備えた機器からＲＦ信号が供給されるチャンネルとして特定されたチャンネル以外のチャンネルについては、水平ＡＦＣゲインが所定の値になるように設定するための制御データを、チャンネルの選局データと対でメモリに書き込む。
【００３８】
そのように、することで、ＶＴＲの再生信号をＲＦ信号として出力する場合に、それを視聴するには、２チャンネルを選局する必要があるが、２チャンネルを選局するのと同時に、制御部１１３は、水平ＡＦＣゲイン切換え制御データをメモリ１１４から読み出して、水平ＡＦＣ利得切換部を制御して、水平ＡＦＣのゲインが高くなるように切換える。
【００３９】
それによって、ＶＴＲの再生信号に含まれるスキューが、水平ＡＦＣの機能によって抑制され、画面に歪となって表れるのを防止することができる。
【００４０】
図２は、図１に示す同期処理部１１０及び水平ＡＦＣ利得切換部１１１の具体的回路構成を示す図である。
【００４１】
図２において、同期処理部１１０は、映像／音声信号処理部１０７で変換されたベースバンド映像信号から同期信号を分離する同期分離部２０１を備える。同期分離部２０１は、垂直同期信号と水平同期信号を分離して、水平同期信号を水平ＡＦＣ検波部２０２に送り、ここで水平同期信号の周波数（位相）が検波される。水平ＡＦＣ検波部２０２は基準の水平周波数信号源を備え、同期分離部２０１から供給される水平同期信号の、基準信号に対する周波数（位相）の差異を検出する。検出した結果は、水平ＡＦＣ利得切換部１１１で直流電圧に変換して、水平周波数(ｆＨ)のＮ倍の発振周波数で発振するＮｆＨＶＣＯ（Voltage Controlled Oscillator）２０３に発振周波数制御信号として供給する。これによって、ＮｆＨＶＣＯ２０３の発振周波数は、水平同期信号の周波数（位相）変動を含んだものとなる。
【００４２】
ＮｆＨＶＣＯ２０３の出力は、水平カウントダウン部２０４で１／Ｎに分周されて水平ドライブ（ＨＤ）パルスとして出力される。
【００４３】
一方、同期分離部２０１で分離された垂直同期信号は、積分部２０５で積分されて所定パルス幅の垂直同期信号として垂直カウントダウン部２０６に供給される。垂直カウントダウン部２０６には、水平カウントダウン部からｆＨのパルスも供給されており、積分部２０５からの垂直同期信号によって初期化された後、水平カウントダウン部２０４からのパルスをカウントして垂直ドライブ（ＶＤ）パルスを出力する。
【００４４】
水平ＡＦＣ利得切換部１１１は、基本的にはローパスフィルタで構成され、その時定数を切換えることで、ゲインが切換えられる。すなわち、水平ＡＦＣ利得切換部１１１は、電源Ｖｃｃと基準電位（アース ）間に直列に接続された、抵抗Ｒ１とコンデンサＣ１，Ｃ２とで構成される状態と、抵抗Ｒ１，Ｒ２の並列接続とコンデンサＣ１，Ｃ２とで構成される状態とに切換えられるように構成されている。
【００４５】
その切換を、トランジスタＱ１とトランジスタＱ２が行うものであり、トランジスタＱ１のベースに「ハイ（Ｈ）」の信号が供給されることで、トランジスタＱ１がオンし、それによってトランジスタＱ２もオンとなって、抵抗Ｒ１に抵抗Ｒ２が並列に接続され、抵抗値が小さくなるため、時定数が下がり利得は高くなる。
【００４６】
トランジスタＱ１のベースに「ロー（Ｌ）」の信号が供給されると、トランジスタＱ１，Ｑ２がオフになって、抵抗Ｒ２がローパスフィルタから外され時定数が上がって利得は低下する。
【００４７】
すなわち、制御部１１３は、ＲＦモジュレータの出力が供給されるチャンネルを選局した際に、トランジスタＱ１のベースに「ハイ」の信号を供給し、他のチャンネルを選局する場合には「ロー」の信号を供給するものである。
【００４８】
図３は、チャンネルサーチによって、ＲＦモジュレータの出力が供給されるチャンネルを特定する処理を説明するためのフローチャートである。図３において、ステップＳ３０１で開始され、ステップＳ３０２でチャンネル番号を示す値ｎをゼロに初期化する。
【００４９】
次いで、ステップＳ３０３でｎを１アップし、ステップＳ３０４でｎが１であるか否かの判定がなされる。ｎが１である場合には、ステップＳ３０５の処理に移り、テレビジョン信号を受信したか否かの判定を行う。ここで、テレビジョン信号が受信されなかった（空きチャンネルである）ことが判定されたら、ステップＳ３０６で、チャンネル１を選局した際に水平ＡＦＣのゲインをＡに設定するデータをメモリ１１４に記憶して、ステップＳ３０９に移り、ここでｎが最大値（ＶＨＳの場合１２）か否かの判定を行ってｎが最大値でない場合、ステップＳ３０３に戻り、ｎが最大値の場合、ステップＳ３１０で処理を終了する。
【００５０】
ステップＳ３０５でテレビジョン信号を受信したと判定されたら、ステップＳ３０８で、水平ＡＦＣのゲインをＢに設定するデータをメモリ１１４に記憶して、ステップＳ３０９に移り、ｎが最大値でないと判定されたらステップＳ３０３に戻る。
【００５１】
ステップＳ３０４で、ｎが１でないと判定されたら、ステップＳ３０７に移ってｎが２であるか否かの判定を行い、ｎが２である場合には、ステップＳ３０５でテレビジョン信号を受信したか否かの判定を行う。ここで、テレビジョン信号が受信されなかった（空きチャンネルである）ことが判定されたら、ステップＳ３０６で、チャンネル２を選局した際に水平ＡＦＣのゲインをＡに設定するデータをメモリ１１４に記憶して、ステップＳ３０９に移り、ここでｎが最大値（ＶＨＳの場合１２）か否かの判定を行ってｎが最大値でない場合、ステップＳ３０３に戻り、ｎが最大値の場合、ステップＳ３１０で処理を終了する。
【００５２】
ステップＳ３０５でテレビジョン信号を受信したと判定されたら、ステップＳ３０８で、水平ＡＦＣのゲインをＢに設定するデータをメモリ１１４に記憶して、ステップＳ３０９に移り、ｎが最大値でないと判定されたらステップＳ３０３に戻る。
【００５３】
以上説明したように、本発明のテレビジョン受信装置によれば、チャンネルサーチを行って、ＲＦモジュレータ出力が供給される可能性の有るチャネルに空きチャンネルがあれば、それをＲＦモジュレータ出力が供給されるチャンネルであると特定して、そのチャンネルの選局データと対で、水平ＡＦＣのゲインを高くするための制御データをメモリに記憶するように構成したので、煩雑な操作を必要とせずに、ＲＦモジュレータの出力が供給されるチャンネルを選局した際に、自動的に、水平ＡＦＣのゲインを高くするように設定できるため操作性を著しく向上させることができるものである。
【００５４】
なお、図３に示すフローチャートでは、全てのチャンネルについてサーチを行って、それぞれ、水平ＡＦＣのゲインを設定するためのデータを記憶させるように構成した例を示したが、ＲＦモジュレータの出力は、通常１チャンネルか２チャンネルであるため、１チャンネルと２チャンネルのいずれが空きチャンネルであるかを判定することで、空きチャンネルである１あるいは２チャンネルと他のチャンネルとを特定することも可能であり、それによればより簡単に水平ＡＦＣゲイン切換の設定を行うことができるものである。
【００５５】
その処理を、図４にフローチャートを参照して説明する。図４において、ステップＳ４０１で開始され、ステップＳ４０２で１チャンネルを選局する。次に、ステップＳ４０３でテレビジョン信号を受信したか否かの判定を行い、テレビジョン信号を受信しなかったと判定されたら、ステップＳ４０４で、１チャンネルの水平ＡＦＣゲインをＡに設定し、他のチャンネルの水平ＡＦＣゲインをＢに設定するデータをメモリ１１４に記憶して、ステップＳ４０５で処理を終了する。
【００５６】
ステップＳ４０３でテレビジョン信号を受信したと判定されたら、ステップＳ４０６で、２チャンネルの水平ＡＦＣゲインをＡに設定し、他のチャンネルの水平ＡＦＣゲインをＢに設定するデータをメモリ１１４に記憶して、ステップＳ４０５で処理を終了する。
【００５７】
以上ように、１チャンネルが空きチャンネルか否かを判定するのみで、必要な設定を行うことができるため、処理を簡単に行うことができるものである。
【００５８】
なお、本発明は、以上示した実施の形態に限定されるものではなく、その趣旨を逸脱しない範囲で、種々変形可能である。
【図面の簡単な説明】
【００５９】
【図１】この発明に係わるテレビジョン受信装置の一実施の形態を説明するために示す回路ブロック図。
【図２】図1に示す回路ブロックの要部をさらに具体的に示す回路ブロック図。
【図３】この発明に係わるテレビジョン受信装置の動作を説明するために示すフローチャート。
【図４】この発明に係わるテレビジョン受信装置の他の動作を説明するために示すフローチャート。
【符号の説明】
【００６０】
１００…テレビジョン受信装置
１０１…ＲＦ入力部
１０２…アンテナ入力端子
１０３…アンテナ
１０４…外部ＲＦ信号入力端子
１０５…チューナ部
１０６…選局部
１０７…映像／音声信号処理部
１０８…映像表示部
１０９…音声出力部
１１０…同期処理部
１１１…水平ＡＦＣ利得切換部
１１２…表示駆動部
１１３…制御部
１１４…メモリ
１１５…操作部
２０１…同期分離部
２０２…水平ＡＦＣ検波部
２０３…ＮｆＨＶＣＯ
２０４…水平カウントダウン部
２０５…積分部
２０６…垂直カウントダウン部
【図１】
2006186720.tif 000003
【図２】
2006186720.tif 000004
【図３】
2006186720.tif 000005
【図４】
2006186720.tif 000006